(57)【要約】      （修正有）【課題】ユーザに頬紅を塗るように案内する頬紅案内装置を提供する。【解決手段】頬紅案内装置１００は、画像取込装置１１０、処理装置１３０及びディスプレイ装置１２０を含む。画像取込装置は、ユーザの顔の画像を取込む。処理装置は、ユーザの顔の画像を受信し、ユーザの顔の画像により複数の顔の特徴点を取得する。処理装置は、少なくとも１つの頬紅案内ブロックを得るために、顔の特徴点により、計算を実施する。ディスプレイ装置は、ユーザの顔の画像及び対応する頬紅案内ブロックを表示し、頬紅案内ブロックにより、ユーザに化粧をするように案内する。【選択図】図２
2018185784.tif 000002
【特許請求の範囲】
【請求項１】
ユーザの顔の画像を取込む、画像取込装置と、
前記ユーザの顔の画像を受信し、前記ユーザの顔の画像により複数の顔の特徴点を取得し、少なくとも１つの頬紅案内ブロックを得るために、前記顔の特徴点により、計算を実施する、処理装置と、
前記ユーザの顔の画像及び対応する前記頬紅案内ブロックを、表示し、前記頬紅案内ブロックにより、前記ユーザに化粧をするように案内する、ディスプレイ装置と、を備える、頬紅案内装置。
【請求項２】
前記顔の特徴点は、鼻翼点、目の正面点、目尻点、顔の点を少なくとも備え、該顔の点は、ユーザの顔の周辺に配置され、前記目尻点に平行であり、
前記処理装置は、前記目の正面点及び前記目尻点により、目の中間点を計算し、該目の中間点により、前記目の中間点を通過する第１の垂直線を計算し、かつ、前記鼻翼点により、前記鼻翼点を通過する第２の水平線を計算し、
前記処理装置は、前記第１の垂直線、前記第２の水平線及び前記顔の点に囲まれた領域を頬紅案内ブロックとして設定する、請求項１に記載の頬紅案内装置。
【請求項３】
前記処理装置は、前記顔の点及び前記鼻翼点を通過する第３の直線を取得し、該第３の直線及び前記第１の垂直線の交差点を第１の交差点として設定し、
前記処理装置は、前記第３の直線に垂直であり前記目尻点を通過する第４の直線を計算し、該第４の直線及び前記第３の直線の交差点を第２の交差点として設定し、
前記処理装置は、前記第２の交差点と前記顔の点との間の中間点を計算し、第３の交差点を取得し、前記処理装置は、前記第１の交差点と前記第３の交差点との間の中間点を計算し、第４の交差点を取得し、
前記処理装置は、前記第１の交差点、前記第３の交差点及び前記第４の交差点により楕円の領域を取得し、該楕円の領域を前記頬紅案内ブロックとして設定し、前記第１の交差点と前記第３の交差点との間の接続線は楕円の領域の長軸であり、前記第４の交差点は楕円の領域の中心である、請求項２に記載の頬紅案内装置。
【請求項４】
前記ディスプレイ装置は、前記頬紅案内ブロック内に、頬紅案内線を表示する、請求項１に記載の頬紅案内装置。
【請求項５】
前記画像取込装置は、前記頬紅案内ブロックを取得し、前記ユーザの顔の画像を表示するように、前記ユーザの顔の画像をリアルタイムで取り込み、前記顔の特徴点をリアルタイムで計算する、請求項１に記載の頬紅案内装置。
【請求項６】
ユーザの顔の画像を取り込むステップと、
前記ユーザの顔の画像により複数の顔の特徴点を取得するステップと、
少なくとも１つの頬紅案内ブロックを得るために、前記顔の特徴点により、計算を実施するステップと、
前記顔の画像及び対応する前記頬紅案内ブロックを、表示し、前記頬紅案内ブロックにより、前記ユーザに化粧をするように案内するステップと、を有する、頬紅案内方法。
【請求項７】
前記顔の特徴点は、鼻翼点、目の正面点、目尻点、顔の点を少なくとも備え、該顔の点は、ユーザの顔の周辺に配置され、前記目尻点に平行であり、
前記頬紅案内ブロックを得るために、前記顔の特徴点により、計算を実施する前記ステップは、
目の正面点及び前記目尻点により、目の中間点を計算し、該目の中間点により、前記目の中間点を通過する第１の垂直線を計算するステップと、
前記鼻翼点により、前記鼻翼点を通過する第２の水平線を計算するステップと、
前記第１の垂直線、前記第２の水平線及び前記顔の点に囲まれた領域を前記頬紅案内ブロックとして設定するステップと、を有する、請求項６に記載の頬紅案内方法。
【請求項８】
前記顔の点及び前記鼻翼点を通過する第３の直線を取得するステップであって、該第３の直線及び前記第１の垂直線の交差点を第１の交差点として設定する、ステップと、
前記第３の直線に垂直であり前記目尻点を通過する第４の直線を計算するステップであって、該第４の直線及び前記第３の直線の交差点を第２の交差点として設定する、ステップと、
前記第２の交差点と前記顔の点との間の中間点を計算し、第３の交差点を取得するステップと、
前記第１の交差点と前記第３の交差点との間の中間点を計算し、第４の交差点を取得するステップと、
前記第１の交差点、前記第３の交差点及び前記第４の交差点により楕円の領域を取得し、該楕円の領域を前記頬紅案内ブロックとして設定するステップと、を更に有し、前記第１の交差点と前記第３の交差点との間の接続線は楕円の領域の長軸であり、前記第４の交差点は楕円の領域の中心である、請求項７に記載の頬紅案内方法。
【請求項９】
前記頬紅案内ブロック内に、頬紅案内線を表示するステップを更に有する、請求項７に記載の頬紅案内方法。
【請求項１０】
前記頬紅案内ブロックを取得し、前記ユーザの顔の画像を表示するように、前記ユーザの顔の画像をリアルタイムで取り込み、前記顔の特徴点をリアルタイムで計算する、請求項７に記載の頬紅案内方法。
【発明の詳細な説明】
【技術分野】
【０００１】
本発明は顔の特徴認識技術に関するものであり、特に顔の認識に基づく頬紅案内装置及びその方法に関するものである。
【背景技術】
【０００２】
美への愛情は女性の気質であり、多くの女性は化粧により顔の特徴を強める。しかしながら、化粧の技術は生来のものではなく、化粧の効果は多くの美容の練習後に向上することができる。
【０００３】
誰か化粧の技術を学びたい場合、学習者はインターネット上の画像から化粧の技術を学ぶことができる。しかしながら、画像から学んだ化粧の技術は、実地に、ずれがある。したがって、近代的装置により化粧の技術を学ぶ方法は、製造業者により関心のある技術的課題である。
【発明の概要】
【発明が解決しようとする課題】
【０００４】
本発明は、頬紅案内装置及び頬紅案内方法を提供し、ユーザの顔の画像により、頬紅案内ブロックが計算され、表示され、それゆえに、便利な対話型化粧教育を提供するように、頬紅案内装置により提供されるプロンプトにより、ユーザは化粧することができる。
【課題を解決するための手段】
【０００５】
本発明の実施態様は、画像取込装置、処理装置及びディスプレイ装置を含む頬紅案内装置を提供する。画像取込装置は、ユーザの顔の画像を取込み、処理装置は、前記ユーザの顔の画像を受信し、前記ユーザの顔の画像により複数の顔の特徴点を取得する。さらに、処理装置は、少なくとも１つの頬紅案内ブロックを得るために、前記顔の特徴点により、計算を実施する。ディスプレイ装置は、前記ユーザの顔の画像及び対応する前記頬紅案内ブロックを、表示し、前記頬紅案内ブロックにより、前記ユーザに化粧をするように案内する。
【０００６】
本発明の実施態様は、以下のステップを含む頬紅案内方法を提供する。ユーザの顔の画像を取り込み、前記ユーザの顔の画像により複数の顔の特徴点を取得する。少なくとも１つの頬紅案内ブロックを得るために、前記顔の特徴点により、計算を実施し、前記ユーザの顔の画像、対応する前記頬紅案内ブロックを、表示し、前記頬紅案内ブロックにより、前記ユーザに化粧をするように案内する。
【発明の効果】
【０００７】
上述の説明により、本発明の頬紅案内装置及び頬紅案内方法は、ユーザの顔の画像により、頬紅案内ブロックを計算して表示することができる。したがって、ユーザは、頬紅を塗るべき顔の領域を学び、化粧プロセスにおいて、頬紅の位置を明確に知る。その上、頬紅案内装置は、更に、ユーザに頬紅を塗るスタイル及び方法を指示するように、頬紅案内線を提供することができる。このように、たとえ、ユーザが化粧に精通していなくとも、ユーザは、便利な会話型化粧教育の提供となるように、頬紅案内装置により提供されるプロンプトにより、なお、化粧をすることができる。
【０００８】
本発明の上述の及び他の特徴と利点を理解できるようにするために、以下、幾つかの例示的実施形態を挙げて図面と共に詳細な内容を説明する。
【図面の簡単な説明】
【０００９】
【図１】本発明の実施形態による頬紅案内装置のディスプレイ・インターフェースの模式図である。
【図２】本発明の実施形態による頬紅案内装置のシステムブロック図である。
【図３】本発明の実施形態による頬紅案内ブロックの模式図である。
【図４】本発明の別の実施形態による頬紅案内ブロックの模式図である。
【図５】本発明の実施形態による頬紅案内線の模式図である。
【図６】本発明の実施形態による頬紅案内方法を例示するフローチャートである。
【図７】本発明の実施形態による頬紅案内ブロックを得るための詳細なフローチャートである。
【図８】本発明の別の実施形態による頬紅案内ブロックを得るための詳細なフローチャートである。
【発明を実施するための形態】
【００１０】
図１は、本発明の実施形態による頬紅案内装置のディスプレイ・インターフェースの模式図であり、図２は、本発明の実施形態による頬紅案内装置のシステムブロック図である。図１及び図２を参照するに、本実施形態において、リップ・グロス案内装置１００は、画像取込装置１１０、マルチメディアディスプレイ装置１２０及び処理装置１３０を含む。
【００１１】
画像取込装置１１０は、ユーザの画像、特に、ユーザの顔の画像を取込むために用いられる。画像取込装置１１０は、本開示に限定されないけれども、例えば、ディスプレイ装置１２０及び処理装置１３０に有線又は無線方法で接続された内蔵カメラ、外部携帯電話、外部カメラである。
【００１２】
ディスプレイ装置１２０は、マルチメディア情報及びユーザの顔の画像をリアルタイムで表示することができる。例えば、ディスプレイ装置１２０は、ユーザの顔の画像及びユーザが選択するための頬紅のオプションのタイプ及び色を表示する。本例示的実施形態において、ディスプレイ装置１２０は、高反射性を有する材料（例えば、鏡）の後ろに配置され、有機発光ダイオード（ＯＬＥＤ）で作られている。このように、本発明は以下のようには限定されないけれども、ユーザは自身の顔を鏡により見ることができ、ディスプレイ装置１２０は、ユーザが見て選択のタッチをするための、鏡の上の関連情報を表示することができる。本実施形態の頬紅案内装置１００は、化粧台の上に配置される装置とすることができ、頬紅案内装置１００のディスプレイ装置１２０は、鏡の後ろに配置することができ、ディスプレイ装置１２０により表示されるテキスト又は画像はユーザが見るために、鏡を通過することができる。他の実施形態において、頬紅案内装置１００は、また、スマートフォン、タブレットＰＣなどのような消費電子製品又はポータブル鏡と結合したポータブル鏡ボックスであり得る。
【００１３】
処理装置１３０は、ユーザの顔のプロファイルに関連する複数のユーザの顔の特徴点を得るように、画像取込装置１１０により取込んだユーザの顔の画像により、計算を実施する。本例示的実施形態の実施において、処理装置１３０は、中央処理装置（ＣＰＵ）、マイクロプロセッサ、特定用途向け集積回路（ＡＳＩＣ）、プログラム可能論理回路（ＰＬＤ）又は他の類似の装置とすることができる。処理装置１３０は、頬紅案内ブロックを提供するために、様々な必要なソフトウェアプログラム及び／又は命令セットを実行するように構成される。本実施形態において、処理装置１３０は、ユーザの顔の１９４の特徴点を検出し解析するために、Dlibの顔のランドマークを用いるシステムを実行する。他の場合において、ユーザの顔の特徴点は、ユーザの顔の１９４の特徴点を解析することだけにより、又は、顔の特徴点を検出するために他のアルゴリズムを用いることにより、得ることができる。
【００１４】
本実施形態において、ユーザが鏡をのぞき込みながら化粧する時に、ディスプレイ装置１２０は、ユーザの顔画像を表示し、リアルタイムで顔の特徴点を解析することができる。本発明の便利な会話型頬紅案内装置を提供するために、ディスプレイ装置１２０は、頬紅を塗るためにユーザに位置及び方法を指示するために、頬紅案内ブロックを、更に表示する。このように、ディスプレイ装置１２０により表示された頬紅案内ブロックの案内により、ユーザの顔の対応する位置に、ユーザは頬紅を塗ることができる。
【００１５】
具体的に言うと、図３を参照するに、図３は本発明の実施形態による頬紅案内ブロックの模式図である。画像取込装置１１０がユーザの顔画像を取込んだ後に、処理装置１３０は、ユーザの顔画像により、ユーザの顔の複数の特徴点を得る。例えば、ユーザの顔の左側を取ると、処理装置１３０により得たユーザの顔の特徴点は、少なくとも、顔の点FP0、目の正面点FP1（すなわち、目の涙管）、目尻点FP2、鼻翼点FP3を含む。さらに、なお、本例示的実施形態の顔の点FP0は、ユーザの顔の周辺に配置され、目尻点FP2に平行である。例えば、本実施形態において、処理装置１３０がユーザの顔の特徴点を得た後に、処理装置１３０は、顔の特徴点の座標（ｘ、ｙ）を指定し、顔の点FP0及び目尻点FP2のｙ座標の値は、同じである。
【００１６】
処理装置１３０により得たユーザの顔の特徴点は、それらに限定されない。他の実施形態において、処理装置１３０により得た顔の特徴点の数は、１１９、１９４などとすることができる。さらに、例えば、１９４の顔の特徴点の実装において、処理装置１３０は、例えば、顔の点FP0の番号は０であり、目の正面点FP1の番号は３９であり、目尻点FP2の番号は３６であり、鼻翼点FP3の番号は３９であるが、顔の特徴点の全てに０〜１３９により番号を付けるように、顔の特徴点の各々に番号を付けることができる。目の中間点は、目の正面点FP1（番号３９）及び目尻点FP2（番号３６）の中央に配置される。しかしながら、本発明は、それらに限定されない。
【００１７】
顔の特徴点が得られた後に、処理装置１３０は、顔の特徴点の位置により、更に、ユーザに適切な頬紅案内ブロックＡ１を設定することができる。例えば、本発明の一実施形態において、処理装置１３０は、目の正面点FP1及び目尻点FP2の座標により、目の正面点FP1及び目尻点FP2の目の中間点FP4を計算し、目の中間点FP4により、目の中間点FP4を通過する第１の垂直線L1（すなわち、第１の垂直線L1のｘ座標の値は、目の中間点FP4のｘ座標の値に等しい）を計算する。次いで、処理装置１３０は、鼻翼点FP3により、鼻翼点FP3を通過する第２の水平線L2（すなわち、第２の水平線L2のｙ座標の値は、鼻翼点FP3のｙ座標の値に等しい）を計算する。処理装置１３０は、頬紅案内ブロックA1を、第１の垂直線L1、第２の水平線L2及び顔の点FP0に囲まれて配置されたブロックであるように設定し、頬紅案内ブロックA1をディスプレイ装置１２０に表示する。すなわち、図３の実施形態において、頬紅案内ブロックA1の位置は、第１の垂直線L1の左で、第２の水平線L2の上に配置されるが、顔の点FP0の位置を越えない。このように、化粧に精通していないユーザでも、また、頬紅案内ブロックA1に対応する位置の顔の上に、頬紅を塗ることができる。
【００１８】
なお、ユーザの右の顔を例として取る場合、処理装置１３０は、頬紅案内ブロックの位置を計算するために、右の目の正面点、目尻点及び右の顔の鼻翼点により、第１の垂直線及び第２の水平線を計算することができる。したがって、頬紅案内ブロックの位置は、第１の垂直線の右で、第２の水平線の上に配置されるが、顔の点の位置を越えない。
【００１９】
図４は、本発明の別の実施形態による頬紅案内ブロックの模式図である。図３に類似する図４を参照するに、処理装置１３０は、目の正面点FP1、目尻点FP2及び鼻翼点FP3により、第１の垂直線L1及び第２の水平線L2を計算することができる。その差異は、処理装置１３０が、更に、顔の点FP0及び鼻翼点FP3を通過する第３の直線L3、並びに、目尻点FP2を通過し第３の直線L3に垂直な第４の直線L4を計算することができることである。次いで、処理装置１３０は、第３の直線L3及び第１の垂直線L1の交差点を計算し、その交差点を第１の交差点P1として設定する。さらに、処理装置１３０は、また、第４の直線L4及び第３の直線L3の交差点を計算し、その交差点を第２の交差点P2として設定する。第２の交差点P2の取得後に、処理装置１３０は、第２の交差点P2と顔の点FP0との間の中間点を計算し、第３の交差点P3を取得することができる。処理装置１３０は、また、第１の交差点P1と第３の交差点P3との間の中間点を計算し、第４の交差点P4を取得することができる。処理装置１３０は、第１の交差点P1、第３の交差点P3及び第４の交差点P4により、楕円の領域を得るが、処理装置１３０は、第１の交差点P1及び第３の交差点P3を楕円の領域の長軸の２つの端点として取り、第４の交差点P4を楕円の領域の中心として取り、第４の直線L4のある長さを楕円の領域の短軸として取る。このように、処理装置１３０は、第１の交差点P1、第３の交差点P3及び第４の交差点P4により形成される楕円の領域を、頬紅案内ブロックA2として設定する。すなわち、図４の実施形態により得られる頬紅案内ブロックA2は楕円方程式を満たす。
【数１】
2018185784.tif 000003
（ｈ、ｋ）は中間点P4の（ｘ、ｙ）座標である。「ａ」は楕円の長軸の半分であり、すなわち、第１の交差点P1と第３の交差点P3との間の長さの半分である。「ｂ」は楕円の短軸の半分である。このように、化粧に精通していないユーザでも、また、頬紅案内ブロックA2に対応する位置の顔の上に、頬紅を塗ることができる。
【００２０】
本発明において、ユーザの動作をより容易にさせるために、頬紅を塗る技術を指示するように、頬紅案内線を頬紅案内ブロックに、更に、設定する。ユーザは、ディスプレイ装置１２０において、好ましい頬紅を塗る方法を選択することができ、又は、処理装置１３０は、ユーザの顔の形状に適切な頬紅を塗る方法を選択する。図５は、本発明の実施形態による頬紅案内線の模式図である。図５に示すように、処理装置１３０は、頬紅案内ブロックA内に、ユーザにより選択した頬紅案内線BLを表示することができる。例えば、本実施形態において、頬紅案内ブロックA内の頬紅案内線BLは、本発明はそれに限定されないけれども、持ち上げ三角塗り方法である。
【００２１】
図６は、本発明の実施形態による頬紅案内方法を例示するフローチャートである。図２及び図６を参照するに、ユーザが、頬紅案内装置１００により、頬紅を塗るための案内を得たい時に、最初に、ステップＳ６１０において、画像取込装置１１０は、ユーザの顔の画像を取込み、取込んだユーザの顔の画像を処理装置１３０へ送信する。次いで、ステップＳ６２０において、処理装置１３０は、複数の顔の特徴点を得るために、取込んだユーザの顔の画像を計算する。さらに、ステップＳ６３０において、処理装置１３０は、ユーザの顔に対応する頬紅案内ブロックを得るために、顔の特徴点を計算する。最後に、ステップＳ６４０において、処理装置１３０は、画像取込装置１１０により取込んだユーザの顔の画像、及び、処理装置１３０により計算した頬紅案内ブロックを、ディスプレイ装置１２０へ送信し、ディスプレイ装置１２０は、ユーザの顔の画像、頬紅案内ブロック及び頬紅案内線を表示する。
【００２２】
なお、本例示的実施形態において、頬紅案内方法は、ユーザの顔の画像を取込んで、頬紅案内ブロックを、リアルタイムの方法で、計算することであるため、ステップＳ６１０からステップＳ６４０までは、ユーザが動作を中止するまで、繰り返し実行される。
【００２３】
さらに、本例示的実施形態の頬紅案内方法は、ユーザにより選択されるオプションにより、頬紅案内線のパターンを調整することができる。さらに、ユーザは、また、ディスプレイ装置１２０において表示される、頬紅の色、テクスチャーを、クリックし、選択することができ、ディスプレイ装置１２０で、同じものをプレビューする。他の例示的実施形態において、処理装置１３０は、ユーザにより選択された色及びテクスチャーにより、頬紅案内ブロックを細かく調整することができ、又は、頬紅案内線のパターンを変更することができ、同じものをディスプレイ装置１２０に表示することができる。
【００２４】
図７及び図８は、本発明の異なる実施形態による頬紅案内ブロックを得るための、それぞれ、詳細なフローチャートである。本例示的実施形態において、図３及び図７を参照するに、ステップＳ６３０において、処理装置１３０が頬紅案内ブロックＡ１を得るために、顔の特徴点を計算する時、最初にステップＳ７１０が実行され、ステップＳ７１０により、処理装置１３０は、目の正面点FP1及び目尻点FP2により、目の中間点FP4を計算する。次いで、ステップＳ７２０において、処理装置１３０は、更に、目の中間点FP4により、目の中間点FP4を通過する第１の垂直線L1を計算する。ステップＳ７３０において、処理装置１３０は、鼻翼点FP3により、鼻翼点FP3を通過する第２の水平線L2を計算する。ステップＳ７４０において、処理装置１３０は、第１の垂直線L1及び第２の水平線L2により、頬紅案内ブロックＡ１を計算する。詳細な計算方法は、図３の実施形態において、説明されているので、それらの詳細は繰り返さない。図７の流れにより、処理装置１３０は、頬紅案内ブロックＡ１を計算することができる。したがって、ユーザは、ディスプレイ装置１２０により、計算した頬紅案内ブロックＡ１を見ることができ、頬紅案内ブロックＡ１に対応する位置の顔の上に頬紅を塗ることができる。
【００２５】
別の例示的実施形態において、図４及び図８を参照するに、ステップＳ６３０において、処理装置１３０が頬紅案内ブロックＡ２を得るために、顔の特徴点を計算する時、ステップＳ７１０からＳ７３０までは、図７と同じなので、それらの詳細は繰り返さない。その差異は、本例示的実施形態において、第１の垂直線L1及び第２の水平線L2により、頬紅案内ブロックＡ１が得られるだけでなく、ステップＳ８４０において、処理装置１３０は、更に、顔の点FP0及び鼻翼点FP3を通過する第３の直線L3を計算し、第３の直線L3及び第１の垂直線L1の交差点を第１の交差点P1として設定する。ステップＳ８５０において、処理装置１３０は、目尻点FP2を通過し第３の直線L3に垂直な第４の直線L4を計算し、第４の直線L4及び第３の直線L3の交差点を第２の交差点P2として設定する。次いで、ステップＳ８６０において、処理装置１３０は、第２の交差点P2と顔の点FP0との間の中間点を計算し、その中間点を第３の交差点P3として設定する。処理装置１３０は、第３の交差点P3と第１の交差点P1との間の中間点を第４の交差点P4として設定する。最後に、ステップＳ８７０において、処理装置１３０は、第１の交差点P1、第３の交差点P3及び第４の交差点P4により、頬紅案内ブロックＡ２を計算する。それらの詳細な計算方法は、図４の実施形態において、説明されているので、その詳細は繰り返さない。図８のフローにより、処理装置１３０は、頬紅案内ブロックＡ２を計算することができる。したがって、ユーザは、計算された頬紅案内ブロックＡ２をディスプレイ装置１２０により見ることができ、頬紅案内ブロックＡ２に対応する位置で、顔の上に頬紅を塗ることができる。
【００２６】
要約すれば、本発明の頬紅案内装置及び頬紅案内方法は、ユーザが、頬紅を塗るべき顔の領域を学ぶことができ、化粧プロセスにおいて、頬紅の位置を明確に知るように、ユーザの顔の画像により、頬紅案内ブロックを計算して表示することができる。その上、頬紅案内装置は、更に、ユーザに頬紅を塗るスタイル及び方法を指示するように、頬紅案内線を提供することができる。このように、たとえ、ユーザが化粧に精通していなくとも、ユーザは、便利な会話型化粧教育の提供となるように、頬紅案内装置により提供されるプロンプトにより、なお、化粧をすることができる。
【００２７】
本発明の範囲と精神を逸脱しない範囲で、様々な変更や修正を本発明の構造にすることができることは、当業者には明らかであろう。上述に鑑みて、本発明は提供された本開示の変更や修正をカバーし、それらは、以下の特許の請求範囲及びそれらの均等物の範囲内に収まることを意図している。
【産業上の利用可能性】
【００２８】
本発明は、頬紅案内装置及び頬紅案内方法を提供し、ユーザの顔の画像により、頬紅案内ブロックが計算され、表示され、それゆえに、便利な対話型化粧教育を提供するように、頬紅案内装置により提供されるプロンプトにより、ユーザは化粧することができる。
【符号の説明】
【００２９】
１００    頬紅案内装置
１１０    画像取込装置
１２０    マルチメディアディスプレイ装置
１３０    処理装置
Ｓ６１０〜Ｓ６４０    頬紅案内方法のステップ
Ｓ７１０〜Ｓ７４０、Ｓ８４０〜Ｓ８７０    頬紅案内ブロックを得るステップ
Ａ、Ａ１、Ａ２    頬紅案内ブロック
BL    頬紅案内線
FP0    顔の点
FP1    目の正面点
FP2    目尻点
FP3    鼻翼点
FP4    目の中間点
L1    第１の垂直線
L2    第２の水平線
L3    第３の直線
L4    第４の直線
P1〜P4    交差点
【図１】
2018185784.tif 000004
【図２】
2018185784.tif 000005
【図３】
2018185784.tif 000006
【図４】
2018185784.tif 000007
【図５】
2018185784.tif 000008
【図６】
2018185784.tif 000009
【図７】
2018185784.tif 000010
【図８】
2018185784.tif 000011
【外国語明細書】
2018185784000001.pdf